(57)【要約】      （修正有）【課題】フェンス用の基礎ブロックのような有穴重量物から不用意に外れるおそれがなく、また上下動させても有穴重量物から外れることがなくて、有穴重量物を上下動させて地面の突き固めを行う、言わば作業用工具としても機能し、しかも有穴重量物を入れる地面の穴を最小限の大きさに掘れば足りる有穴重量物の保持具を提供する。【解決手段】有穴重量物の保持具１をいっぱいに穴部５５に挿し込んだ状態で図７（ｄ）に示すように操作ハンドル１３を所定の方向に回して、連結ブラケット４３、４５を互いに離間する方向へ駆動させていくと、連結ブラケット４３、４５が穴部５５の内壁面５５ａに当接する。更に操作ハンドル１３を回して、連結ブラケット４３、４５を互いに離間する方向へ駆動させて、穴部５５の内壁面５５ａに圧接させて固定する。【選択図】図３
0003131422.tif 000002
【実用新案登録請求の範囲】
【請求項１】
有穴重量物に形成された穴部に挿嵌される一対の圧接部と、前記一対の圧接部を互いに近接する方向と離間する方向へ動作させる圧接部駆動手段と、作業者が掴む等するための操作部とを備えていることを特徴とする有穴重量物の保持具。
【請求項２】
請求項１に記載した有穴重量物の保持具において、圧接部駆動手段は、操作部の回転運動を前記一対の圧接部を互いに近接する方向と離間する方向へ動作させるための駆動力に変換するものであることを特徴とする有穴重量物の保持具。
【請求項３】
請求項１または２に記載した有穴重量物の保持具において、一対の圧接部は角部を有し、圧接部を互いに離間する方向へ動作すると有穴重量物の穴部の内壁面に前記角部の上側の頂部が最初に当接する部位となっていることを特徴とする有穴重量物の保持具。
【請求項４】
請求項１から３のいずれかに記載した有穴重量物の保持具において、操作部は水平ロッドと垂直ロッドを正面視Ｔ字形に接続することによって構成されている操作ハンドルと、前記水平ロッドの左右両端部に設けられるグリップと、前記垂直ロッドの下端部に設けられ、前記圧接部駆動手段の入力部に位置するネジ軸に接続されるジョイント部とを備えていることを特徴とする有穴重量物の保持具。
【請求項５】
請求項１に記載した有穴重量物の保持具において、一対の圧接部は吊上げアームと、該吊上げアームの先端部に対して外方に張り出すように設けられる係止爪とを備えていることを特徴とする有穴重量物の保持具。
【考案の詳細な説明】
【技術分野】
【０００１】
本考案は、例えばフェンス用の基礎ブロックのような有穴重量物を地面から吊り上げて所定の場所へ運搬したり、有穴重量物を持ち上げて作業したりするための有穴重量物の保持具に関するものである。
【背景技術】
【０００２】
フェンス用の基礎ブロックはコンクリート製で表面に手掛かりとなる突起が一切設けられていない角柱状をした部材である。基礎ブロックは小さいものでも２０ｋｇ以上あり、手掛かりのないフェンス用の基礎ブロックの表面を抱えて持ち上げることは相当に大変である。
そこで、フェンス用の基礎ブロックの穴の下端部の縁に係止する係止部を備えた保持具を用いている。
【０００３】
この従来の保持具は係止部に下方への荷重がかかると、係止部が開き基礎ブロックを係止する構造となっている。当該保持具を使用する場合は、係止部を基礎ブロックの穴の上方から挿入する。そして、基礎ブロックの上端部を押して、地面と基礎ブロックの下面との間に隙間をつくり、この隙間に係止部を位置させる。次いで、保持具をチェーンブロックに連結して、基礎ブロックを吊り下げて、係止部を開かせ係止する。
【考案の開示】
【考案が解決しようとする課題】
【０００４】
しかしながら、上記従来の保持具は、下方への荷重がかかると開く係止部を穴の下端部の縁に係止させて、基礎ブロックを保持している。このため、基礎ブロックを地面に設置させた際に、係止部が閉じて基礎ブロックから不用意に外れてしまうおそれがあり危険である。
また、フェンス用の基礎ブロックを地面に掘った穴に据え付ける際に、穴の底面の突き固めを行うと、基礎ブロックを安定させて設置でき、しかも設置後の基礎ブロックの沈降を防止できて好ましいが、従来の保持具では上記したように係止部に下方への荷重をかけていないと、係止部が閉じて縁から外れてしまうので、基礎ブロックを上下動させて基礎ブロックによって穴の底面の突き固めを行うことができないという不都合がある。
更に、従来の保持具の中には構成部材の一部が、基礎ブロックの側方へはみ出すものもあり、この場合には基礎ブロックを入れる地面の穴を大きく掘る必要があり、無駄な作業を強いられることになってしまう。
【０００５】
本考案は、上記背景技術が抱えていた問題点の存在を踏まえてなされたものであって、フェンス用の基礎ブロックのような有穴重量物から不用意に外れるおそれがなく、また上下動させても有穴重量物から外れることがなくて、有穴重量物を上下動させて有穴重量物を設置する地面の突き固めを行う作業用工具としても機能し、しかも有穴重量物を入れる地面の穴を最小限の大きさに掘れば足りる有穴重量物の保持具を提供することを、その目的とする。
【課題を解決するための手段】
【０００６】
上記課題を解決するために請求項１に記載した考案は、有穴重量物に形成された穴部に挿嵌される一対の圧接部と、前記一対の圧接部を互いに近接する方向と離間する方向へ動作させる圧接部駆動手段と、作業者が掴む等するための操作部とを備えていることを特徴とする有穴重量物の保持具である。
【０００７】
請求項２に記載した考案は、請求項１に記載した有穴重量物の保持具において、圧接部駆動手段は、操作部の回転運動を前記一対の圧接部を互いに近接する方向と離間する方向へ動作させるための駆動力に変換するものであることを特徴とする有穴重量物の保持具である。
【０００８】
請求項３に記載した考案は、請求項１または２に記載した有穴重量物の保持具において、一対の圧接部は角部を有し、圧接部を互いに離間する方向へ動作すると有穴重量物の穴部の内壁面に前記角部の上側の頂部が最初に当接する部位となっていることを特徴とする有穴重量物の保持具である。
【０００９】
請求項４に記載した考案は、請求項１から３のいずれかに記載した有穴重量物の保持具において、操作部は水平ロッドと垂直ロッドを正面視Ｔ字形に接続することによって構成されている操作ハンドルと、前記水平ロッドの左右両端部に設けられるグリップと、前記垂直ロッドの下端部に設けられ、前記圧接部駆動手段の入力部に位置するネジ軸に接続されるジョイント部とを備えていることを特徴とする有穴重量物の保持具である。
【００１０】
請求項５に記載した考案は、請求項１に記載した有穴重量物の保持具において、一対の圧接部は吊上げアームと、該吊上げアームの先端部に対して外方に張り出すように設けられる係止爪とを備えていることを特徴とする有穴重量物の保持具である。
【考案の効果】
【００１１】
本考案の有穴重量物の保持具によれば、有穴重量物から不用意に外れるおそれがなく、作業の安全を確保することが可能となる。
また上下動させても有穴重量物から外れることがないので、有穴重量物を上下動させて地面の突き固めを行う作業用工具としての機能も果たすことになる。
更に、有穴重量物を入れる地面の穴を最小限の大きさに掘れば足り、作業効率を向上させることが可能となる。
【考案を実施するための最良の形態】
【００１２】
本願考案を実施するための最良の形態に係る有穴重量物の保持具１を説明する。以下の説明では本考案の適用対象物となる有穴重量物の一例としてエクステリアや土木工事等で使用されているフェンス用の基礎ブロックＷを採り上げて説明する。
【００１３】
操作部３は金属製の円形鋼管によって形成される水平ロッド９と垂直ロッド１１を正面視Ｔ字形に溶接等によって接続することによって構成される操作ハンドル１３を主要な構成として備えている。また水平ロッド９の左右両端部には合成樹脂製の鍔付きのグリップ１５が設けられており、垂直ロッド１１の下端部には後述する圧接部駆動手段５の入力部に位置するネジ軸１７に対して固定状態で一体に接続されるジョイント部１９が設けられている。
【００１４】
動作変換手段５は操作部３の回転運動を圧接部としての連結ブラケット４３、４５を互いに近接する方向と離間する方向へ動作させるための駆動力に変換する部分である。
動作変換手段５は入力部にネジ軸１７を有し、出力部に連結ブラケット４３、４５を互いに近接する方向と離間する方向へ動作させるためのリンク機構２１を備えている。ネジ軸１７はジョイント部１９に対して一体に接続されている部材であり、操作部３の回転を受けて操作部３と同方向に回転する。ネジ軸１７には雄ネジ部２５が形成されている。
【００１５】
ネジ軸１７の上部は軸受け部２７によって回転自在に支持されており、また雄ネジ部２５にはナット２９が螺合している。
軸受け部２７には回動支点３１が設けられており、この回動支点３１に対して一例としてコの字形断面をした同一長さの２本のリンク３３、３５の一端が回動自在に接続されている。一方、ナット２９にも同様に回動支点３７が設けられており、該回動支点３７に対して同じくコの字形断面をした同一長さの２本のリンク３９、４１の一端が回動自在に接続されている。
【００１６】
上部のリンク３３、３５と下部のリンク３９、４１との中間には一例としてコの字形断面をした２つの連結ブラケット４３、４５が互いに向かい合うように設けられている。
そして正面視左側に位置する連結ブラケット４３の上下には回動支点４７、４９が設けられており、正面視右側に位置する連結ブラケット４５の上下には同様に回動支点５１、５３が設けられている。
図２に示すように連結ブラケット４３、４５は上端部が僅かに開くように傾斜している。
【００１７】
回動支点４７には正面視上部左側に位置するリンク３３の他端が回動自在に接続されており、回動支点４９には正面視下部左側に位置するリンク３９の他端が回動自在に接続されている。また回動支点５１には正面視上部右側に位置するリンク３５の他端が回動自在に接続されており、回動支点５３には正面視下部右側に位置するリンク４１の他端が回動自在に接続されている。
そして６つの回動支点３１、３７、４７、４９、５１、５３と、４本のリンク３３、３５、３９、４１と、２つの連結ブラケット４３、４５とによってリンク機構２１は構成されている。
【００１８】
係止部７はフェンス用の基礎ブロックＷの中心に形成された穴部５５に挿嵌され、開くことによって穴部５５の底縁５７に係止される部分である。
具体的には係止部７は動作変換手段５のリンク３９、４１に対して接続される２本の吊上げアーム５９、６１と、これらの吊上げアーム５９、６１の先端部に対して外方に張り出すように設けられる２枚の係止爪６３、６５とを備えている。
【００１９】
吊上げアーム５９、６１は金属製の角棒状の部材を幾分内側に湾曲させることによって形成されており、リンク３９、４１に対しては一例として溶接によって接続されている。またリンク３９に接続されている吊上げアーム５９とリンク４１に接続されている吊上げアーム６１はお互いに干渉しないように前後にずれた位置に設けられており、正面側から視た状態ではＸ字状に交鎖するようになっている。
一方、係止爪６３、６５は金属製の矩形平板状の部材によって構成されており、係止爪６３、６５のそれぞれの４つのコーナー部は丸くＲ付け加工が施されている。また係止爪６３の左側前部と係止爪６５の右側後部に位置するコーナー部は他のコーナー部よりも更に大きな曲面加工が施されており、フェンス用の基礎ブロックＷの底縁５７への係止を円滑にするための案内曲面６７、６９になっている。
【００２０】
吊上げアーム５９、６１は係止爪６３、６５の内側寄りの部分に一例として溶接によって接続されており、係止爪６３、６５の外方に突出した部分が直接フェンス用の基礎ブロックＷの底縁５７に係止される係止作用面７１、７３になっている。
そして、連結ブラケット４３、４５が最も近接した状態において係止部７の作用口径（左右の係止爪６３、６５の最大外周部を通る円の直径となる）Ｄはフェンス用の基礎ブロックＷの穴部５５の内径Ｎよりも小さくなるように設定されており、連結ブラケット４３、４５が最も離間した状態における係止部７の作用口径Ｄはフェンス用の基礎ブロックＷの穴部５５の内径Ｎよりも大きくなるように設定されている。
【００２１】
次に図７を参照しながら本考案の有穴重量物の保持具１を使用してフェンス用の基礎ブロックＷを吊り上げて所定の場所に運搬したり、地面の突き固めをしたりする場合の作業について説明する。
最初にグリップ１５を持って操作ハンドル１３を所定の方向に回して図７（ａ）に示すように連結ブラケット４３、４５を最も近接させて、係止爪６３，６５を閉じた状態にする。この際操作ハンドル１３の回転によって同時にネジ軸１７も同方向に回転するようになり、ネジ軸１７に形成されている雄ネジ部２５に螺合しているナット２９は下方に移動するようになる。これによりリンク３３、３５、３９、４１の他端に連結されている連結ブラケット４３、４５は互いに近接する方向へ駆動する。
【００２２】
次に図７（ｂ）に示すように有穴重量物の保持具１を係止部７側からフェンス用の有穴重量物の保持具１の穴部５５内に挿入する。そして、操作ハンドル１３を所定の方向に回して行く。この際、操作ハンドル１３の回転によって雄ネジ部２５に螺合しているナット２９は上方に移動して、リンク３３、３５、３９、４１の他端に連結されている連結ブラケット４３、４５は互いに離間する方向へ駆動して、同時に係止部７が徐々開いて行く。
【００２３】
連結ブラケット４３、４５が互いに離間する方向へ駆動されていくと、連結ブラケット４３、４５が穴部５５の内壁面５５ａに当接する。前述のように連結ブラケット４３、４５は上端部が僅かに開くように傾斜しているので、連結ブラケット４３、４５の角部４４、４６の上側の頂部４４ａ、４６ａが最初に穴部５５の内壁面５５ａに対し最初に当接する部位となる。更に操作ハンドル１３を回して、連結ブラケット４３、４５を互いに離間する方向へ駆動させて、角部４４、４６を穴部５５の内壁面５５ａに圧接させて固定する。前述のように連結ブラケット４３、４５は上端部が僅かに開くように傾斜しているので、連結ブラケット４３、４５の角部４４、４６の頂部４４ａ、４６ａが内壁面５５ａに食い込むように強く圧接する。
このようにして有穴重量物の保持具１が基礎ブロックＷを保持する。この状態では係止爪６３、６５の各係止作用面７１、７３はフェンス用の基礎ブロックＷの穴部５５の底縁５７に係止された状態になる。
【００２４】
次に図７（ｃ）に示すように操作ハンドル１３を持ってフェンス用の基礎ブロックＷを再び直立状態に起こし、両手でグリップ１５を掴んでフェンス用の基礎ブロックＷを上方に吊り上げ、所定の場所に運搬する。
前述のように有穴重量物の保持具１は、連結ブラケット４３、４５の角部４４、４６を穴部５５の内壁面５５ａに圧接させ、しかも係止爪６３、６５の各係止作用面７１、７３を穴部５５の底縁５７に係止させて基礎ブロックＷを保持しているので、基礎ブロックＷが保持具１から不用意に外れるのを防止でき、作業の安全を確保することができる。
【００２５】
そして目的の場所までフェンス用の基礎ブロックＷを運んだら設置角度を調整しながらフェンス用の基礎ブロックＷを、地面Ｇの設けた穴内に降ろす。
この保持具１では連結ブラケット４３、４５の角部４４、４６を穴部５５の内壁面５５ａに圧接させて基礎ブロックＷを保持しているので、保持具１と共に基礎ブロックＷを持ち上げても、基礎ブロックＷが保持具１から外れることはない。従って、両手でグリップ１５を掴んで、持ち上げてからグリップ１５を掴んでいる手を緩めて、基礎ブロックＷを自重で落下させて、地面に掘った穴の底部の突き固めを行うことができる。即ち、この保持具１は作業用工具としての機能も果たすことになる。
【００２６】
次いで、図７（ｄ）に示すように操作ハンドル１３を所定の方向に回して、連結ブラケット４３、４５を互いに近接する方向へ駆動させ、角部４４、４６の内壁面５５ａに対する圧接を解除し、また係止部７を閉じて底縁５７から外して、上方に有穴重量物の保持具１を引き抜けばフェンス用の基礎ブロックＷの設置が完了する。
また、この保持具１では、基礎ブロックＷの側方へはみ出す部分がないので、基礎ブロックＷを入れる地面の穴を最小限の大きさに掘れば足り、作業効率を向上させることが可能となる。
【００２７】
上記説明においては、人力によって保持具１によって保持された基礎ブロックＷを持ち上げる場合を説明したが、操作部３にワイヤを掛けて、このワイヤをチェーンブロック、自走クレーン、ショベルカー等に連結して、基礎ブロックＷを運搬等してもよい。
【００２８】
以上、本考案を実施するための最良の形態について詳述してきたが、具体的な構成は上述した構成に限られるものではなく、本考案の要旨を逸脱しない範囲内の一部構成の変更などがあっても本考案に含まれる。
例えば本考案の有穴重量物の保持具１の適用対象物としては前述のフェンス用の基礎ブロックＷに限らず、園芸用やエクステリア用のその他の各種の基礎ブロックや土木工事用の穴部が形成された各種のコンクリートブロック等、種々の有穴重量物を適用することが可能である。
【００２９】
また有穴重量物の運搬距離が長い場合には、吊り上げた有穴重量物を一旦、台車等に載せて運んだり、引き摺った状態で有穴重量物を移動したりできるよう、係止爪６３、６５の底面に小さな転動コロ等を取り付けておくことも可能である。また動作変換手段５として自動車用のジャッキを流用することも可能である。
上記実施の形態では、吊上げアーム５９、６１と係止爪６３、６５を備えた構成としたが、本考案はこれに限定されず、吊上げアーム５９、６１と係止爪６３、６５の設けない構成とすることも可能である。当該構成の保持具では、連結ブラケット４３、４５の穴５５の内壁面５５ａに対する圧接のみで、基礎ブロックＷを保持する。
【産業上の利用可能性】
【００３０】
本考案はフェンス用の基礎ブロック等の有穴重量物を使用する施工現場や、当該有穴重量物を販売しているホームセンターやエクステリア、園芸関連のショップあるいは当該有穴重量物を保管、運搬する事業分野等において利用でき、特に場所を取らず、簡単な操作で有穴重量物を安全、確実に吊り上げて目的の場所まで運搬したい場合に利用可能性を有する。
【図面の簡単な説明】
【００３１】
【図１】本考案を実施するための最良の形態に係る有穴重量物の保持具を示す斜視図である。
【図２】本考案を実施するための最良の形態に係る有穴重量物の保持具を示す係止部が閉脚状態にある時の正面図である。
【図３】本考案を実施するための最良の形態に係る有穴重量物の保持具を示す係止部が開脚状態にある時の正面図である。
【図４】本考案を実施するための最良の形態に係る有穴重量物の保持具を示す係止部が閉脚状態にある時の側面図である。
【図５】本考案を実施するための最良の形態に係る有穴重量物の保持具を示す係止爪が有穴重量物に係止された状態の底面図である。
【図６】本考案を実施するための最良の形態に係る有穴重量物の保持具を示す図３中のＡ−Ａ断面図である。
【図７】本考案を実施するための最良の形態に係る有穴重量物の保持具を使用した作業手順を示す説明図である。
【符号の説明】
【００３２】
１  有穴重量物の保持具        ３  操作部        ５  動作変換手段
７  係止部        ９  水平ロッド          １１  垂直ロッド
１３  操作ハンドル      １５  グリップ      １７  ネジ軸
１９  ジョイント部      ２１  リンク機構
２５  雄ネジ部      ２７  軸受け部      ２９  ナット
３１  回動支点      ３３  リンク    ３５  リンク      ３７  回動支点
３９  リンク      ４１  リンク      ４３  連結ブラケット
４５  連結ブラケット      ４７  回動支点      ４９  回動支点
４４、４６  連結ブラケットの角部        ４４ａ、４６ａ  角部の頂部
５１  回動支点      ５３  回動支点      ５５  穴部      ５５ａ  内壁面
５７  底縁      ５９  吊上げアーム      ６１  吊上げアーム
６３  係止爪      ６５  係止爪      ６７  案内曲面
６９  案内曲面      ７１  係止作用面      ７３  係止作用面
Ｗ  フェンス用の基礎ブロック  Ｖ  垂直方向      Ｄ  作用口径
Ｎ  内径      Ｇ  地面
【図１】
0003131422.tif 000003
【図２】
0003131422.tif 000004
【図３】
0003131422.tif 000005
【図４】
0003131422.tif 000006
【図５】
0003131422.tif 000007
【図６】
0003131422.tif 000008
【図７】
0003131422.tif 000009